(57)【特許請求の範囲】
【請求項１】
錠ケース内に、少なくとも、施錠杆の突出量を制御するトリガー装置と、このトリガー装置の作用により、開扉時にはラッチボルトとして機能し、閉扉時にはデッドボルトとして機能するようにした施錠杆と、施錠杆に係合して該施錠杆の後退を阻止するとともに、扉外側に設けられたシリンダー錠または扉内側に設けられたサムターンの操作により作動させて施錠杆との係合を解除又は係合するようにしたロッキングピースとを備えた扉錠において、
前記錠ケース内には、圧搾空気の供給により作動して前記ロッキングピースと施錠杆との係合を解除させるエアーシリンダーと、前記施錠杆の後退により該施錠杆に設けた作動板で作動レバーを作動させて弁体を開放または閉鎖して、そのエアースイッチ内の圧力の増減を検知することによって扉錠の解錠、開扉の確認を行うエアースイッチとを設けてあることを特徴とする遠隔操作錠。
【発明の詳細な説明】
【０００１】
【発明の属する技術分野】
本発明は、空気圧を利用した防爆仕様の遠隔操作錠に関するものである。
【０００２】
【従来の技術】
一般に、離れた場所から施解錠を制御できる遠隔操作錠として、扉錠に駆動源としてモータやソレノイドを組み込んだ所謂電気錠が知られている。
【０００３】
【発明が解決しようとする課題】
この種電気錠は、一箇所の制御盤において通電制御を行うだけで複数の扉錠を制御できるので、オフィスビルや工場、集合住宅等の防犯管理には最適であり、また、操作が簡単であるので、一般住宅でも広く使用されているが、可燃性のガス等の危険物を取り扱う工場等にあっては、僅かな火花でも爆発の原因となる危険性があるため、火花が発生する可能性のあるモータやソレノイドに通電する必要のある電気錠は使用できなかった。
【０００４】
【発明の目的】
本発明は、可燃性のガス等の危険物を取り扱う工場等にあっても安全に使用することができる防爆仕様の遠隔操作錠を提供することを目的とするものである。
【０００５】
【課題を解決するための手段】
本発明に係る遠隔操作錠は、錠ケース内に、少なくとも、施錠杆の突出量を制御するトリガー装置と、このトリガー装置の作用により、開扉時にはラッチボルトとして機能し、閉扉時にはデッドボルトとして機能するようにした施錠杆と、施錠杆に係合して該施錠杆の後退を阻止するとともに、扉外側に設けられたシリンダー錠または扉内側に設けられたサムターンの操作により作動させて施錠杆との係合を解除又は係合するようにしたロッキングピースとを備えた扉錠において、
前記錠ケース内には、圧搾空気の供給により作動して前記ロッキングピースと施錠杆との係合を解除させるエアーシリンダーと、前記施錠杆の後退により該施錠杆に設けた作動板で作動レバーを作動させて弁体を開放または閉鎖して、そのエアースイッチ内の圧力の増減を検知することによって扉錠の解錠、開扉の確認を行うエアースイッチとを設けてあることを特徴とする。
【０００６】
【発明の作用】
施錠された扉錠をエアーシリンダーの駆動により解錠させ、解錠、開扉の確認もエアースイッチで行うので、火花の発生は皆無で、安全性は確保される。
【０００７】
【実施例】
本発明の遠隔操作錠の実施例を図面について具体的に説明する。
図１は、本発明の遠隔操作錠の開扉状態における側面図、図２は、閉扉状態で施錠された状態における本発明遠隔操作錠の側面図、図３は、解錠状態における本発明の遠隔操作錠の側面図、図４は、トリガー装置の係止部材部分の拡大側面図、図５は、開扉時と閉扉時における施錠杆の突出状態を表す本発明の遠隔操作錠の要部平面図、図６は、本発明遠隔操作錠へ圧搾空気を供給するパイプの配管図である。
【０００８】
１は、本発明の遠隔操作錠を構成する扉錠で、錠ケース２内に、ラッチボルトの機能とデッドボルトの機能を有する施錠杆３がスプリング３１を介して前板２１から出没自在となるように嵌装されている。
【０００９】
４は、前記施錠杆３の突出量を制御するトリガー装置で、前板２１からスプリング４１を介して出没するトリガーボルト４２、同トリガーボルトの後退によって押されて回転するカム４３及び同カムの回転に伴って回転する係止部材４４とから構成されている。
【００１０】
上記トリガー装置は、実公昭６２−２１６３７号公報により既に公知であるが、本発明の遠隔操作錠の構成を説明するために必要であるので、トリガー装置４の構成並びに作用を図４により詳述しておく。
【００１１】
トリガー装置４のカム４３は軸４３ａにスプリング４３ｂを介して常時時計方向に回転するように枢支されており、係止部材４４はカム４３と同じく軸４３ａに枢支され、且つ、カム４３とはスプリング４４ａを介して関連を持たせてあり、カム４３が反時計方向に回転すれば、係止部材４４はスプリング４４ａを介して同じ方向に回転する構造であって、開扉状態にあっては、施錠杆３はスプリング３１の復元力によって錠ケース２の前板２１から最大突出しようとするが、施錠杆３の一部に固着された係止板３２の先端のａ部が係止部材４４の上片４４ｂに係合してそれ以上の突出を防いでいるので、施錠杆３は図１及び図５の実線で示すような突出状態になっており、このときの施錠杆３はラッチボルトとして機能するようになっている。
【００１２】
扉Ｄが閉鎖されたとき、それぞれスプリング３１、４１によって突出している施錠杆３並びにトリガーボルト４２が扉枠Ｗ側のストライキＳに当接して後退し、カム４３がトリガーボルト４２の柄に固着されたフレーム４２ａの一部に押されて軸４３ａを支点としてスプリング４３ｂに抗して反時計方向に回転する。
【００１３】
カム４３の回転に伴いスプリング４４ａを介して連携されている係止部材４４も一体に回転するので、施錠杆３は係止部材４４による係止が解除され、ストライキＳの嵌合孔Ｓａと一致するところで再び突出して図２及び図５の二点鎖線で示すような最大突出の状態となり、デッドボルトとして機能する。
【００１４】
開扉状態で誤ってトリガーボルト４２のみを押して後退させた場合、カム４３は回転するが、施錠杆３は突出状態であるため、係止部材４４の上片４４ｂの下面に施錠杆３に固着の係止板３２の先端のｂ部が係合して回転することができず、施錠杆３は図１及び図５の実線で示す状態が保持され、扉を閉める前に施錠杆３が最大突出の状態にならないような安全機能が働くようになっている。
【００１５】
５は、施錠杆３を後退させるハブであって、扉内外のノブやレバー等のハンドルの回動により回転するカム６によって間接的に回転せしめられるようになっており、カム６が時計方向に回転する場合はピン５１が押されてその儘時計方向に、カム６が反時計方向に回転する場合は方向転換のための連結部材６１、６２を介して同じく時計方向に回転するように構成され、ノブやレバー等のハンドルをどちらの方向に回動しても施錠杆３は後退するようになっている。
【００１６】
７は、施錠杆３が最大突出のときにその後退を阻止するロッキングピースで、軸７１にスプリング７２を介して常時反時計方向に回転するように枢支されており、先端部７ａが施錠杆３の後端部３ａに係合し、ノブやレバー等のハンドルを回動しても施錠杆３を後退させることができない所謂本施錠ができるようになっている。
【００１７】
８は、補助ロッキングピースであって、前記ロッキングピース７の軸７１にスプリング８１を介して常時反時計方向に回転するように枢支されており、この補助ロッキングピース８が時計方向に回転するときには補助ロッキングピース８に植設されたピン８２にロッキングピース７の後端部が押されて時計方向に回転するようになっている。
【００１８】
この補助ロッキングピース８は、施錠杆３が何らかの原因で最大突出しない儘途中で止まり、ロッキングピース７の先端部７ａが施錠杆３の上面に乗ってロッキングピース７による係止ができなくなったときに、ロッキングピース７の先端部７ａよりも短くしてある補助ロッキングピース８の先端部８ａが施錠杆３の後退を阻止し、解錠を防止する役割をするものである。
【００１９】
９は、前記補助ロッキングピース８を作動させるハブであって、扉の外側に取り付けられたシリンダー錠或いは扉の内側に取り付けられたサムターンの操作により回転して補助ロッキングピース８の後部を押して時計方向に回転させる作用をする。
【００２０】
１０は、補助ロッキングピース８を作動させるエアーシリンダーであって、圧搾空気の供給によりピストンロッド１０１が後退する形式のものである。
【００２１】
２０は、ピストンロッド１０１の運動を補助ロッキングピース８に伝達する伝達機構であって、回転するリンク２０１と、同リンクと補助ロッキングピース８間を連結する連結板２０２とから構成され、ピストンロッド１０１の後退により補助ロッキングピース８を時計方向に回転させるものである。
【００２２】
３０は、前記施錠杆３の後退を感知するエアースイッチで、常時突出方向に付勢されるプランジャー３０１と、このプランジャーを押し込むレバー３０２、及びこのプランジャーの後退により通路が開路する弁体（図示しない）とから構成されている。
【００２３】
４０は、施錠杆３の後退により回転して前記エアースイッチ３０のレバー３０２を押す作動レバーで、上端部側が軸４０１にて枢支され、スプリング４０２により常時時計方向に回転するように付勢されており、施錠杆３の後退時に施錠杆３から延びる作動板３３の後端部に押されて反時計方向に回転するようになっている。
【００２４】
尚、エアーシリンダー１０並びにエアースイッチ３０への圧搾空気の供給は、爆発の可能性のある建物内（以下防爆域と称する）から離れた戸外の開放場所（以下非防爆域と称する）に設置された、エアーコンプレッサーの駆動によって常時一定圧力に蓄圧されたエアータンクから行うもので、図６のように制御すべき扉錠が複数ある場合は基管Ｋ、Ｌから分岐させた枝管Ｋ１、Ｌ１を介してそれぞれの扉錠に供給するもので、枝管Ｋ１、Ｌ１から個々の扉錠には扉のヒンジ側から給気する都合上、扉の開閉によって折れ曲がってもよいようにフレキシブルチューブにて配管する必要がある。
【００２５】
エアーシリンダー１０への圧搾空気の供給制御は押釦を押すと弁体が開き、手を離すと弁体が閉じる、錠を集中管理する制御盤にある遠隔操作装置ＡＳによって行うもので、基管Ｋ側にこの遠隔操作装置ＡＳを設けておくものである。
【００２６】
エアースイッチ３０へは別の基管Ｌから枝管Ｌ１を介して常時圧搾空気が供給されるようになっており、制御盤にこの基管Ｌ内の圧力の増減を検知する圧力計Ｍを設けておき、エアースイッチ３０の弁体が閉じたときの圧力増加によって解錠を確認するようにしてある。
【００２７】
図６中、ＲＶは、圧搾空気を扉錠１側にのみ流通させる枝管Ｋ１に設けられた逆止弁、ＡＶは、逆止弁ＲＶと扉錠１のエアーシリンダー１０との間に溜まった高圧空気を抜く空気抜き弁、ＢＳは、エアースイッチ３０の弁体が閉じたときの枝管Ｌ１内の圧力増加によって作動するエアーシリンダーで、前記空気抜き弁ＡＶのプランジャーを押して逆止弁ＲＶとエアーシリンダーＢＳとの間に溜まった高圧空気を抜く作用をする。
【００２８】
次に、本発明に係る遠隔操作錠の作動を図示する実施例によって詳述する。図１の開扉状態において、扉Ｄを閉めると、施錠杆３、トリガーボルト４２がストライキＳの一部に当接して後退し、完全に閉まったとき、図２の如く、施錠杆３がストライキＳの嵌合孔Ｓａ内に前述のトリガー装置４の作用によって最大突出し、常時反時計方向に付勢されているロッキングピース７の先端部７ａが施錠杆３の後端部に係合して施錠杆３の後退を阻止して本施錠がなされる。
【００２９】
シリンダー錠またはサムターン（図示せず）を操作してハブ９を反時計方向に回転させると、補助ロッキングピース８はその後部がハブ９に押されて時計方向に回転するので、ロッキングピース７もピン８２に押されて同一方向に回転して施錠杆３との係合が解除されて解錠されるから、ノブを回せばハブ５を介して錠杆３が錠ケース２内に後退して開扉可能となる。
【００３０】
上記操作は通常その部屋に出入りする者が解錠するときの操作で、緊急事態が発生した場合とか合鍵なしに解錠したい場合には次の操作によって解錠する操作によって解錠するものである。
【００３１】
図２の閉扉状態において、制御盤にある遠隔操作装置ＡＳの押釦を数秒間押すと、エアータンクから圧搾空気が扉錠１のエアーシリンダー１０に供給され、ピストンロッド１０１が後退するから、伝達機構２０を介して補助ロッキングピース８が時計方向に回転し、前述の手動操作の場合と同じく解錠され、ノブを回せば開扉可能となる。
【００３２】
一旦、エアーシリンダー１０に圧搾空気が供給されると、基管Ｋ内の状態に関わらず逆止弁ＲＶの作用により逆止弁ＲＶとエアーシリンダー１０との間は高圧状態が保持されるので、扉錠は解錠状態（未開扉）が保持される。
【００３３】
このときは未だエアースイッチ３０のプランジャー３０１は作動レバー４０によって押し込まれて後退しておらず、弁体が開放しているので、圧搾空気は枝管Ｌ１内を流通している。
【００３４】
上記解錠状態（未開扉）において、ノブやレバー等のハンドルを回動して図３のように施錠杆３を後退させて扉Ｄを開けるとき、施錠杆３の後退により作動レバー４０が押されて反時計方向に回転するため、エアースイッチ３０のプランジャー３０１は突出し、弁体が閉鎖して空気の流通を断つので、該当する枝管Ｌ１内の圧力が高まり、これによってエアーシリンダーＢＳが作動し、空気抜き弁ＡＶのプランジャーを押して逆止弁ＲＶとエアーシリンダー１０との間に溜まった高圧空気を抜くため、エアーシリンダー１０のピストンロッド１０１を後退させる力が作用しなくなるため、補助ロッキングピース８はスプリング８１の復元力によって図１及び図３の解錠状態に復帰する。
【００３５】
開扉されない部屋の扉錠１は解錠状態（未開扉）の儘であるので、緊急事態発生後、後処理のための点検時に全ての部屋のノブやレバー等のハンドルを回動し、上記の如く空気抜きを行って原状の施錠状態に復するようにしておく必要がある。
【００３６】
上記点検操作が面倒な場合には、枝管Ｋ１、Ｌ１に設けた逆止弁ＲＶ、空気抜き弁ＡＶ、エアーシリンダーＢＳを全て無くし、基管Ｋの遠隔操作装置ＡＳの後続部分に空気抜き弁を設けて一括して空気抜きする方法もある。
【００３７】
【発明の効果】
本発明に係る遠隔操作錠によれば、防爆域にある扉錠を離れた場所から解錠動作させる駆動源に非防爆域から供給される圧搾空気によって作動するエアーシリンダーを使用し、解錠、開扉をエアースイッチにより確認できるようにしたものであるから、従来の遠隔操作錠である電気錠のように火花が発生する可能性があって使用できない防爆域での使用が可能となり、防爆域での複数の扉錠の集中制御も行えるので、緊急事態が発生して避難する必要のある場合等に解錠に手間取って逃げ後れるという不測の事態を回避することができ、危険物を取り扱う建物の防犯管理には最適なものである。
【図面の簡単な説明】
【図１】  本発明遠隔操作錠の開扉状態における側面図である。
【図２】   閉扉状態で施錠された状態における本発明遠隔操作錠の側面図である。
【図３】  解錠状態における本発明遠隔操作錠の側面図である。
【図４】  トリガー装置の係止部材部分の拡大側面図である。
【図５】  開扉時と閉扉時における施錠杆の突出状態を表す本発明遠隔操作錠の要部平面図である。
【図６】  本発明遠隔操作錠へ圧搾空気を供給するパイプの配管図である。
【符号の説明】
１  扉錠
２  錠ケース
３  施錠杆
４  トリガー装置
５  ハブ
６  カム
７  ロッキングピース
８  補助ロッキングピース
９  ハブ
１０  エアーシリンダー
２０  伝達機構
３０  エアースイッチ
４０  作動レバー
【図１】
0004019332.tif 000002
【図２】
0004019332.tif 000003
【図３】
0004019332.tif 000004
【図４】
0004019332.tif 000005
【図５】
0004019332.tif 000006
【図６】
0004019332.tif 000007